(57)【特許請求の範囲】
【請求項１】
複数のインターホン子機装置との通話が可能なインターホン親機装置、及び
複数のエレベータの運行を制御する群管理制御装置から運行状況データを受信し、上記エレベータの運行状況をモニタに表示する運行監視装置
を備え、
上記インターホン親機装置及び上記運行監視装置は、相互に通信可能になっており、
上記運行監視装置は、上記インターホン親機装置から受けた上記インターホン子機装置の通信状態情報に基づいて、上記インターホン子機装置の通信状態を上記モニタに表示可能になっているとともに、通話する上記インターホン子機装置を選択するための選局情報を入力可能になっており、
上記インターホン親機装置は、上記運行監視装置に上記通信状態情報を送信可能であるとともに、上記運行監視装置から受けた上記選局情報に基づいて、上記インターホン子機装置との接続状態を切換可能になっているエレベータ監視システム。
【請求項２】
上記インターホン親機装置は、上記インターホン子機装置との通信状態を監視する子機通信手段と、上記運行監視装置に上記通信状態情報を送信する第１の通信手段とを有し、
上記運行監視装置は、上記第１の通信手段から上記通信状態情報を受信するとともに上記第１の通信手段に上記選局情報を送信する第２の通信手段とを有している請求項１記載のエレベータ監視システム。
【請求項３】
上記モニタには、上記インターホン子機装置の通信状態が選局ボタンとして表示され、
上記運行監視装置は、上記モニタの表示画面内で上記選局ボタンを選択することにより上記選局情報を入力可能となっている請求項１記載のエレベータ監視システム。
【請求項４】
上記運行監視装置は、上記エレベータのかご内を撮影する複数の監視カメラからの映像データを受信し、上記映像データに基づいて上記かご内の映像を上記モニタに表示可能である請求項１記載のエレベータ監視システム。
【請求項５】
上記モニタに表示される画像には、通常表示領域と選択表示領域とが設けられており、
上記運行監視装置は、入力された選局情報に対応したかご内の映像を上記選択表示領域に表示するとともに、他のかご内の映像を上記通常表示領域に順次切り替えて表示する請求項４記載のエレベータ監視システム。
【請求項６】
上記運行監視装置は、上記モニタの表示画面内で上記かご内の映像を選択することにより、選択されたかごに対応する上記インターホン子機装置に対する選局情報を入力可能となっている請求項４に記載のエレベータ監視システム。
【請求項７】
上記運行監視装置は、上記インターホン子機装置の通信状態情報に基づいて呼出音を発生可能になっている請求項１記載のエレベータ監視システム。
【請求項８】
上記インターホン親機装置は、通信状態情報及び選局情報に基づいて呼出音を発生可能になっており、
上記インターホン親機装置及び上記運行監視装置は、互いの間の通信の有効性を確認するための確認信号を送受信し、確認信号の受信状況に応じて、上記インターホン親機装置及び上記運行監視装置のいずれにより呼出音を発生させるかを選択する請求項７記載のエレベータ監視システム。
【発明の詳細な説明】
【技術分野】
【０００１】
この発明は、エレベータの運行状況をモニタの表示により監視するためのエレベータ監視システムに関するものである。
【背景技術】
【０００２】
従来のエレベータ監視装置は、複数のエレベータのかごの運行を制御する群管理制御装置から運行状況データを受信し、運行状況をモニタ上に表示する（例えば、特許文献１参照）。【０００３】
【特許文献１】特開２００４−１８９３５８号公報
【発明の開示】
【発明が解決しようとする課題】
【０００４】
上記のような従来のエレベータ監視装置では、例えばかご内で緊急事態が発生し、かご内の乗客から管理室にインターホンを通して通報があった場合、管理室の管理人は、エレベータ監視装置上で異常内容を確認した後、インターホン親機の前へ移動し、選局ボタンを操作して乗客と通話する。このため、通話を行うまでに多くの時間と作業とを要してしまう。【０００５】
この発明は、上記のような課題を解決するためになされたものであり、かご内の乗客とのインターホン通話をより速やかに行うことができるエレベータ監視システムを得ることを目的とする。
【課題を解決するための手段】
【０００６】
この発明によるエレベータ監視システムは、複数のインターホン子機装置との通話が可能なインターホン親機装置、及び複数のエレベータの運行を制御する群管理制御装置から運行状況データを受信し、エレベータの運行状況をモニタに表示する運行監視装置を備え、インターホン親機装置及び運行監視装置は、相互に通信可能になっており、運行監視装置は、インターホン親機装置から受けたインターホン子機装置の通信状態情報に基づいて、インターホン子機装置の通信状態をモニタに表示可能になっているとともに、通話するインターホン子機装置を選択するための選局情報を入力可能になっており、インターホン親機装置は、運行監視装置に通信状態情報を送信可能であるとともに、運行監視装置から受けた選局情報に基づいて、インターホン子機装置との接続状態を切換可能になっている。
【図面の簡単な説明】
【０００７】
【図１】この発明の実施の形態１によるエレベータ監視システムを示すブロック図である。
【図２】図１のインターホン子機装置の通信状態に関する情報の変換テーブルを示す説明図である。
【図３】図１のモニタの表示内容の一例を示す正面図である。
【図４】図１の表示制御手段の動作を示すフローチャートである。
【図５】図１の入力制御手段の動作を示すフローチャートである。
【図６】この発明の実施の形態２によるエレベータ監視システムを示すブロック図である。
【図７】図６のモニタの表示内容の一例を示す正面図である。
【図８】図６の表示制御手段の動作を示すフローチャートである。
【図９】この発明の実施の形態３によるエレベータ監視システムを示すブロック図である。
【図１０】図９のモニタの表示内容の一例を示す正面図である。
【図１１】図９の表示制御手段に設定された監視カメラと号機名称との対応テーブルを示す説明図である。
【図１２】図９の表示制御手段の通常処理フローによる動作を示すフローチャートである。
【図１３】図９の入力制御手段の動作を示すフローチャートである。
【図１４】この発明の実施の形態４によるエレベータ監視システムを示すブロック図である。
【図１５】図１４の表示制御手段の動作を示すフローチャートである。
【図１６】図１４の入力制御手段の動作を示すフローチャートである。
【図１７】この発明の実施の形態５によるエレベータ監視システムを示すブロック図である。
【図１８】この発明の実施の形態６によるエレベータ監視システムを示すブロック図である。
【図１９】この発明の実施の形態７によるエレベータ監視システムを示すブロック図である。
【図２０】この発明の実施の形態８によるエレベータ監視システムを示すブロック図である。
【図２１】この発明の実施の形態９によるエレベータ監視システムを示すブロック図である。
【発明を実施するための最良の形態】
【０００８】
以下、この発明の好適な実施の形態について図面を参照して説明する。
実施の形態１．
図１はこの発明の実施の形態１によるエレベータ監視システムを示すブロック図である。この例では、Ａ号機〜Ｃ号機の３機のエレベータの監視を行う監視システムを示している。各エレベータのかご１〜３内には、かご１〜３内の乗客が管理室の管理人と通話するためのインターホン子機装置４〜６が設けられている。インターホン子機装置４〜６には、受話器（図示せず）がそれぞれ設けられている。【０００９】
管理室とは、例えば建物内の防災センターである。管理室には、インターホン親機装置７と、エレベータの運行状況を監視するための運行監視装置８とが設置されている。【００１０】
インターホン親機装置７は、インターホン子機装置４〜６と通信を行うための子機通信手段９、運行監視装置８と通信を行うための第１の通信手段１０、及びインターホン子機装置４〜６の中から通話先を選択するための回線選択手段１１を有している。【００１１】
子機通信手段９は、音声ケーブル１２〜１４を介してインターホン子機装置４〜６に接続されている。子機通信手段９は、インターホン子機装置４〜６の通信状態に関する情報を第１の通信手段１０に入力する。第１の通信手段１０は、インターホン子機装置４〜６の通信状態に関する情報を運行監視装置８に送信する。また、第１の通信手段１０は、通話先を選択するための選局情報を運行監視装置８から受け、回線選択手段１１に入力する。子機通信手段９には、回線選択手段１１及び音声ケーブル２４を介して受話器１５が接続されている。受話器１５は、管理人が運行監視装置８を操作・監視しながら通話可能な位置に配置されている。【００１２】
運行監視装置８は、かご１〜３の運行を制御する群管理制御装置１６に接続されている。群管理制御装置１６は、例えば建物の機械室内に設置されている。運行監視装置８は、かご１〜３の運行状況データを群管理制御装置１６から受信する。運行状況データには、例えば階床情報（かご位置情報）、ドア開閉情報、走行方向情報及び号機名称情報等が含まれている。【００１３】
運行監視装置８は、第１の通信手段１０と通信するための第２の通信手段１７、群管理制御装置１６と通信するための運行状況データ通信手段１８、かご１〜３の運行状況を表示するためのモニタ１９、モニタ１９を制御する表示制御手段２０、管理人による操作を入力するための入力装置２１、及び入力装置２１の操作に応じて動作する入力制御手段２２を有している。【００１４】
第１の通信手段１０と第２の通信手段１７とは、通信ケーブル２３を介して接続されている。通信ケーブル２３としては、イーサネット（登録商標）（「ＩＥＥＥ８０２．３委員会」によって標準化されたＬＡＮ（Ｌｏｃａｌ  Ａｒｅａ  Ｎｅｔｗｏｒｋ）に関する規格）の規格を満たしたケーブルが用いられる。【００１５】
運行監視装置８は、演算処理部（ＣＰＵ）、記憶部（ＲＯＭ、ＲＡＭ及びハードディスク等）及び信号入出力部を持ったコンピュータ（図示せず）を有している。表示制御手段２０及び入力制御手段２２の機能は、運行監視装置８のコンピュータにより実現される。即ち、コンピュータの記憶部には、表示制御手段２０及び入力制御手段２２の機能を実現するためのプログラムが格納されている。演算処理部は、プログラムに基づいて、表示制御手段２０及び入力制御手段２２の機能に関する演算処理を実行する。入力装置２１としては、コンピュータに接続されたマウス及びキーボードを用いることができる。【００１６】
第２の通信手段１７は、インターホン子機装置４〜６の通信状態に関する情報を第１の通信手段１０から受信し表示制御手段２０に入力する。即ち、第２の通信手段１７は、表示制御手段２０の第１のバッファ（図示せず）に通信状態情報を書き込む。そして、表示制御手段２０は、通信状態情報に基づいてインターホン子機装置４〜６の通信状態をモニタ１９に表示させる。【００１７】
運行状況データ通信手段１８で受信された運行状況データは、表示制御手段２０に入力される。即ち、運行状況データ通信手段１８は、表示制御手段２０の第２のバッファ（図示せず）に運行状況データを書き込む。そして、表示制御手段２０は、運行状況データに基づいてかご１〜３の運行状況をモニタ１９に表示させる。モニタ１９としては、例えば液晶ディスプレイ、ＣＲＴディスプレイ、プラズマディスプレイ等を用いることができる。【００１８】
入力制御手段２２は、入力装置２１の操作に応じて、インターホン親機装置７の通話先を選択するための選局情報を第２の通信手段１７に入力する。選局情報は、第２の通信手段１７から第１の通信手段１０に送信される。【００１９】
図２は図１のインターホン子機装置４〜６の通信状態に関する情報の変換テーブルを示す説明図である。子機通信手段９は、音声ケーブル１２〜１４の通信状態を周期的にモニタリングし、図２の変換テーブルに基づいて通信状態を通信シンボルに変換する。図２において、「通話中」とは、インターホン子機装置４〜６とインターホン親機装置７との間で通話を行っている状態である。「呼出中」とは、インターホン子機装置４〜６からインターホン親機装置７へ通話を行いたい旨を知らせている状態である。「待機中」とは、通話中及び呼出中のいずれでも無い状態である。【００２０】
例えば、インターホン子機装置４は呼出中、インターホン子機装置５，６は待機中である場合、通信状態情報は、通信状態に対応する通信シンボルをＡ号機、Ｂ号機、Ｃ号機の順に並べた「２３３」となる。子機通信手段９、回線選択手段１１、表示制御手段２０及び入力制御手段２２には、図２のような共通の変換テーブルが予め設定されている。【００２１】
図３は図１のモニタ１９の表示内容の一例を示す正面図である。モニタ１９の画面は、群管理制御装置１６からの運行状況データに基づく運行状況表示領域２５と、子機通信手段９からの通信状態情報に基づく選局ボタン表示領域２６とを含んでいる。運行状況表示領域２５には、号機名（Ａ号機〜Ｃ号機）、階床名（１階〜５階）、及びかご１〜３に対応したかご表示マーク１ａ〜３ａが表示されている。【００２２】
かご表示マーク１ａ〜３ａは、対応するかご１〜３の昇降に応じて移動する。図３では、かご１が３階、かご２が４階、かご３が１階に位置することを示している。また、かご表示マーク１ａ〜３ａの上部又は下部には、対応するかご１〜３が向かっている方向を示す三角形（方向表示部）が付されている。図３では、かご１が下方向へ、かご２，３が上方向へ向かっていることを示している。さらに、かご表示マーク１ａ〜３ａは、対応するかご１〜３のドアの開閉状態を表示する。図３では、かご１、３が戸閉状態、かご２が戸開状態であることを表示している。【００２３】
選局ボタン表示領域２６には、インターホン子機装置４〜６に対応する複数の選局ボタン４ａ〜６ａと、選局ボタン４ａ〜６ａに対応する号機名とが表示されている。選局ボタン４ａ〜６ａ内には、子機通信手段９からの通信状態情報に応じて対応するインターホン子機装置４〜６の通信状態が表示されている。具体的には、図２の変換テーブルに基づいて、通信シンボルが１であれば「通話中」、通信シンボルが２であれば「呼出中」、通信シンボルが３であれば「待機中」と表示される。図３では、通信状態情報が「３３３」であるため、全ての選局ボタン４ａ〜６ａに「待機中」と表示されている。【００２４】
管理室の管理人は、マウスやキーボード等の入力装置２１を用いて、選局ボタン４ａ〜６ａのいずれかを指定する選局情報を入力制御手段２２に入力することができる。【００２５】
図４は図１の表示制御手段２０の動作を示すフローチャートである。表示制御手段２０は、図４に示す処理を周期的（例えば２００ミリ秒毎）に実行し、図３の運行状況表示領域２５及び選局ボタン表示領域２６の表示内容を更新する。【００２６】
図４に示す動作では、まず、第１のバッファに第２の通信手段１７からの受信データがあるかどうかを確認する（ステップＳ１）。第１のバッファに受信データが無ければ、第２のバッファに運行状況データ通信手段１８からの受信データがあるかどうかを確認する（ステップＳ４）。いずれのバッファにも受信データが無ければ処理は終了する。【００２７】
第１のバッファにデータが書き込まれていた場合、選局ボタン表示領域２６の表示内容を更新する（ステップＳ２）。例えば、第１のバッファに通信状態情報「２３３」が書き込まれていた場合、表示制御手段２０は、Ａ号機の通信シンボルが「２」、Ｂ号機及びＣ号機の通信シンボルが「３」であると認識し、図２の変換テーブルに基づいて、選局ボタン表示領域２６の表示内容をＡ号機「呼出中」、Ｂ号機「待機中」、Ｃ号機「待機中」と表示する。表示内容を更新したら、第１のバッファを初期化（ステップＳ３）し、第２のバッファ内の受信データの有無を確認する（ステップＳ４）。【００２８】
第２のバッファにデータが書き込まれていた場合、運行状況表示領域２５の表示内容を更新し（ステップＳ５）、第２のバッファを初期化（ステップＳ６）した後、処理を終了する。【００２９】
図５は図１の入力制御手段２２の動作を示すフローチャートである。この処理フローは、入力装置２１を用いて選局ボタン４ａ〜６ａのいずれかが選択されることをトリガーとして開始される。選局ボタン４ａ〜６ａのいずれかが選択されると、選択された選局ボタン４ａ〜６ａの表示が「待機中」又は「呼出中」であるかどうかを判断する（ステップＳ１１）。【００３０】
選択された選局ボタン４ａ〜６ａの表示が「待機中」又は「呼出中」であった場合、入力制御手段２２は、管理人が乗客との通話の開始を希望していると判断し、該選局ボタン４ａ〜６ａの表示を「通話中」に変更する（ステップＳ１２）。また、選択された選局ボタン４ａ〜６ａの表示が「通話中」であった場合、入力制御手段２２は、管理人が乗客との通話の終了を希望していると判断し、該選局ボタン４ａ〜６ａの表示を「待機中」に変更する（ステップＳ１３）。【００３１】
この後、変更後の選局ボタン４ａ〜６ａの表示内容を選局情報として第２の通信手段１７へ送信する（ステップＳ１４）。選局情報は、図２に示した変換テーブルに基づいて作成される。例えば、Ａ号機及びＣ号機の選局状態が「待機中」、Ｂ号機の選局状態が「通話中」であれば、選局情報は通信シンボルを用いて「３１３」となる。【００３２】
第２の通信手段１７は、入力制御手段２２からの選局情報を受信すると、その選局情報を即座に第１の通信手段１０へ送信する。第１の通信手段１０は、受信した選局情報を回線選択手段１１に入力する。回線選択手段１１は、入力された選局情報に応じて、受話器１５とインターホン子機装置４〜６との回線接続のＯＮ／ＯＦＦを行う。【００３３】
例えば、選局情報が「３１３」であった場合、回線選択手段１１は、「通話中」を示す通信シンボルがＢ号機に割り当てられていると判断し、Ｂ号機のインターホン子機装置５に接続された音声ケーブル１３と、受話器１５に接続された音声ケーブル２４との接続を行う。これにより、Ｂ号機のかご２内の乗客と管理室の管理人との通話が可能となる。【００３４】
上記のように、実施の形態１のエレベータ監視システムでは、インターホン親機装置７及び運行監視装置８が相互に通信可能になっている。また、運行監視装置８は、インターホン親機装置７から受けたインターホン子機装置４〜６の通信状態情報に基づいて、インターホン子機装置４〜６の通信状態を、エレベータの運行状況とともにモニタ１９に表示可能になっている。さらに、運行監視装置８は、通話するインターホン子機装置４〜６を選択するための選局情報を入力可能になっている。一方、インターホン親機装置７は、運行監視装置８に通信状態情報を送信可能であるとともに、運行監視装置８から受けた選局情報に基づいて、インターホン子機装置４〜６との接続状態を切換可能になっている。【００３５】
従って、管理人は、運行監視装置８の前に居ながらにして、エレベータの運行状況をモニタリングしながら、所望のかご１〜３内の乗客とインターホン通話を行うことができる。これにより、緊急事態が発生した場合にも、管理人は、かご１〜３内の乗客とのインターホン通話をより速やかに行うことができる。【００３６】
実施の形態２．
次に、図６はこの発明の実施の形態２によるエレベータ監視システムを示すブロック図である。図において、かご１〜３内には、かご１〜３内を常時撮影する監視カメラ３１〜３３がそれぞれ設置されている。監視カメラ３１〜３３は、映像ケーブル３４〜３６を介して運行監視装置８に接続されている。【００３７】
運行監視装置８には、監視カメラ３１〜３３からの映像データを受信する映像データ通信手段３７が設けられている。監視カメラ３１〜３３は、映像データ通信手段３７に監視カメラ３１〜３３毎に設けられたバッファ（図示せず）内に映像データを周期的（例えば１／３０ミリ秒毎）に書き込む。【００３８】
映像データ通信手段３７は、受信した映像データを表示制御手段２０に入力する。即ち、映像データ通信手段３７は、表示制御手段２０の第３のバッファ（図示せず）に映像データを周期的（例えば１００ミリ秒毎）に書き込む。表示制御手段２０は、映像データに基づいて、監視カメラ３１〜３３で撮影された映像をモニタ１９に表示させる。従って、モニタ１９には、かご１〜３の運行状況及びインターホン子機装置４〜６の通信状態とともに、監視カメラ３１〜３３で撮影された映像が表示される。他の構成は、実施の形態１と同様である。【００３９】
図７は図６のモニタ１９の表示内容の一例を示す正面図である。運行状況表示領域２５の右側で通信状態表示領域２６の下には、監視カメラ３１〜３３からの映像データに基づく映像表示領域３８が設けられている。映像表示領域３８には、かご１〜３に対応するかご内映像３１ａ，３２ａ，３３ａと号機名とが表示されている。【００４０】
図８は図６の表示制御手段２０の動作を示すフローチャートである。表示制御手段２０は、図８に示す処理を周期的（例えば２００ミリ秒毎）に実行し、図７の運行状況表示領域２５、選局ボタン表示領域２６及び映像表示領域３８の表示内容を更新する。【００４１】
また、実施の形態２の表示制御手段２０の動作のうち、運行状況表示領域２５及び選局ボタン表示領域２６に関する動作（ステップＳ１〜ステップＳ６）は、実施の形態１（図４）と同じである。そして、表示制御手段２０は、選局ボタン表示領域２６に関する動作の後、第３のバッファに書き込まれている映像データに基づく映像を映像表示領域３８に表示させる（ステップＳ７）。【００４２】
上記のように、実施の形態２のエレベータ監視システムでは、運行監視装置８は、監視カメラ３１〜３３からの映像データを受信し、映像データに基づいてかご１〜３内の映像をモニタ１９に表示可能である。従って、管理人は、運行監視装置８の前に居ながらにして、エレベータの運行状況とかご内映像３１ａ，３２ａ，３３ａとをモニタリングしながら、所望のかご１〜３内の乗客とインターホン通話を行うことができる。【００４３】
なお、実施の形態２では、かご内映像３１ａ，３２ａ，３３ａを映像表示領域３８内に単に表示したが、かご内映像３１ａ，３２ａ，３３ａの表示部に選局ボタン４ａ〜６ａと同様の機能を追加してもよい。即ち、入力装置２１によりかご内映像３１ａ，３２ａ，３３ａのいずれかを選択することによっても、入力制御手段２２が図５に示した動作を開始するようにしてもよい。この場合、入力制御手段２２は、選択されたかご内映像に対応する選局ボタンの表示状態を確認することになるが、他の動作は図５と同様である。【００４４】
実施の形態３．
次に、図９はこの発明の実施の形態３によるエレベータ監視システムを示すブロック図である。図において、表示制御手段２０は、映像データに基づいて、監視カメラ３１〜３３で撮影された映像を周期的に切り換えてモニタ１９に順次表示させる。また、表示制御手段２０は、入力制御手段２２からの選局情報を受け、入力装置２１で選択されたインターホン子機装置４〜６に対応するかご１〜３内の映像をモニタ１９に選択的に表示させる。他の構成は、実施の形態２と同様である。【００４５】
図１０は図９のモニタ１９の表示内容の一例を示す正面図である。映像表示領域３８には、全てのかご１〜３のかご内映像を周期的に切り換えて表示する通常表示領域３８ａと、かご１〜３のうちの選択されたかごのかご内映像を継続して表示する選択表示領域３８ｂとが含まれている。選択されたかごとは、選局ボタン４ａ〜６ａの表示が「通話中」になっている号機に対応するかご、即ち管理人とインターホン通話を行っている乗客が乗っているかごである。【００４６】
表示制御手段２０には、図１１に示すような監視カメラ３１〜３３と号機名との対応テーブルが予め設定されている。カメラＩＤとは、全ての監視カメラ３１〜３３に一意的に割り当てられている番号である。号機名称とは、映像データ通信手段３７から表示制御手段２０に入力される映像データの順番である。図１０の例では、Ａ号機、Ｂ号機、Ｃ号機の順番で映像データが表示制御手段２０に入力される。【００４７】
表示制御手段２０は、選択表示領域３８ｂ以外の表示に関する通常処理フロー（図１２）と、選択表示領域３８ｂへの表示に関する選択表示処理フローとに従って動作する。【００４８】
まず、図１２は図９の表示制御手段２０の通常処理フローによる動作を示すフローチャートである。表示制御手段２０は、図１２に示す動作を周期的に実行する。また、実施の形態３の表示制御手段２０の動作のうち、運行状況表示領域２５及び選局ボタン表示領域２６に関する動作（ステップＳ１〜ステップＳ６）は、実施の形態１（図４）と同じである。【００４９】
表示制御手段２０は、選局ボタン表示領域２６に関する動作の後、カメラＩＤに対応する映像データに基づく映像を通常表示領域３８ａに表示させる（ステップＳ８）。即ち、図１１の対応テーブルを用いてカメラＩＤに対応する号機名称を取得するとともに、取得した号機名称と該号機名称を有する映像データに基づくかご内映像とを通常表示領域３８ａに表示させる。【００５０】
この後、カメラＩＤを更新する（ステップＳ９）。即ち、図１１の対応テーブルに従い、更新前のカメラＩＤが「１」であった場合は「２」へ、更新前のカメラＩＤが「２」であった場合は「３」へ、更新前のカメラＩＤが「３」であった場合は「１」へカメラＩＤを更新する。従って、図１３の動作を例えば２００ミリ秒毎に実行する場合、通常表示領域３８ａに表示される映像も２００ミリ秒毎に切り換えられることになる。【００５１】
次に、図１３は図９の入力制御手段２２の動作を示すフローチャートである。この処理フローは、入力装置２１を用いて選局ボタン４ａ〜６ａのいずれかが選択されることをトリガーとして開始される。また、選局ボタン４ａ〜６ａの表示切換や選局情報送信に関する動作（ステップＳ１１〜ステップＳ１４）は、実施の形態１（図５）と同じである。【００５２】
選択された選局ボタン４ａ〜６ａの表示を「通話中」とした場合（ステップＳ１２）、図２の変換テーブルを用い、通信シンボル「１」と該号機名称とを表示制御手段２０の選択表示処理フローへ送る（ステップＳ１５）。また、選択された選局ボタン４ａ〜６ａの表示を「待機中」とした場合、通信シンボル「３」と該号機名称とを表示制御手段２０の選択表示処理フローへ送る。【００５３】
次に、表示制御手段２０の選択表示処理フローについて説明する。選択表示処理フローは、周期的に実行される。そして、入力制御手段２２から通信シンボル「１」を受信した場合、表示制御手段２０の第３のバッファから該号機名称に対応する映像データを取得し、取得した映像データに基づく映像と該号機名称とを選択表示領域３８ｂに表示する。また、入力制御手段２２から通信シンボル「３」を受信した場合、選択表示領域３８ｂにブルーバック映像を表示する。即ち、インターホン通話が行われていないときには、選択表示領域３８ｂにはかご内映像を表示しない。【００５４】
このようなエレベータ監視システムでは、通常表示領域３８ａに複数のかご１〜３内の映像を切り換えながら順次表示するので、多くの台数の監視カメラ３１〜３３が接続されている場合にも、より大きなサイズの映像でかご１〜３内を監視することができる。また、選択されたかごのかご内映像を選択表示領域３８ｂに表示するので、インターホン通話中の乗客が乗っているかごについても、より大きなサイズの映像でモニタリングしながら、乗客とインターホン通話を行うことができる。【００５５】
なお、実施の形態３では、通常表示領域３８ａを１つとしたが、複数の通常表示領域を設けたり、通常表示領域内を複数に分割したりしてもよい。例えば、多くの台数の監視カメラが接続されている場合、監視カメラを複数のブロックに分け、ブロック内の監視カメラによる映像を切り換えながら対応する通常表示領域に順次表示させてもよい。
また、実施の形態１〜３のモニタ１９の画面の少なくとも一部を例えばタッチパネルで構成し、画面に触れることで選局情報を入力可能としてもよい。
さらに、この発明は、ダブルデッキエレベータやワンシャフトマルチカー方式のエレベータにも適用できる。【００５６】
実施の形態４．
次に、図１４はこの発明の実施の形態４によるエレベータ監視システムを示すブロック図である。図において、運行監視装置８には、スピーカ（監視装置側スピーカ）４１が設けられている。表示制御手段２０は、スピーカ４１にベル音鳴動信号及びベル音非鳴動信号を入力する。また、入力制御手段２２は、スピーカ４１にベル音鳴動信号及びベル音非鳴動信号を入力する。スピーカ４１は、ベル音鳴動信号を受けることにより呼出音としてベル音を発し、ベル音非鳴動信号を受けることによりベル音の鳴動を停止する。【００５７】
図１５は図１４の表示制御手段２０の動作を示すフローチャートである。第１のバッファにデータが書き込まれていた場合、選局ボタン表示領域２６の表示内容を更新した後（ステップＳ２）、更新後の選局ボタン表示領域２６に「呼出中」の表示があるかどうかを確認する（ステップＳ２１）。そして、「呼出中」の表示があった場合、ベル音鳴動信号をスピーカ４１に出力する（ステップＳ２２）。また、「呼出中」の表示が無かった場合、ベル音非鳴動信号をスピーカ４１に出力する（ステップＳ２３）。【００５８】
例えば、第１のバッファに通信状態情報「２３３」が書き込まれていた場合、表示制御手段２０は、Ａ号機の通信シンボルが「２」、Ｂ号機及びＣ号機の通信シンボルが「３」であると認識し、図２の変換テーブルに基づいてＡ号機が呼出中であると判断し、ベル音鳴動信号を出力する。【００５９】
図１６は図１４の入力制御手段２２の動作を示すフローチャートである。入力制御手段２２は、選局ボタン４ａ〜６ａの表示を「通話中」に変更した後（ステップＳ１２）、選局ボタン表示領域２６に「呼出中」の表示があるかどうかを確認する（ステップＳ２４）。そして、「呼出中」の表示があった場合、ベル音鳴動信号をスピーカ４１に出力する（ステップＳ２５）。また、「呼出中」の表示が無かった場合、ベル音非鳴動信号をスピーカ４１に出力する（ステップＳ２６）。
他の構成及び動作は、実施の形態１と同様である。【００６０】
上記のように、実施の形態４のエレベータ監視システムでは、インターホン子機装置４〜６の通信状態情報に基づいて、運行監視装置８に設けたスピーカ４１からベル音を発するようになっているので、かご１〜３内の乗客からの通報があった場合、スピーカ４１からベル音を発し、管理人に迅速に知らせることができる。【００６１】
実施の形態５．
次に、図１７はこの発明の実施の形態５によるエレベータ監視システムを示すブロック図である。実施の形態５は、実施の形態２のエレベータ監視システムに実施の形態４のスピーカ４１に関する機能を追加したものである。このような構成によっても、かご１〜３内の乗客からの通報があった場合、スピーカ４１からベル音を発し、管理人に迅速に知らせることができる。【００６２】
実施の形態６．
次に、図１８はこの発明の実施の形態６によるエレベータ監視システムを示すブロック図である。実施の形態６は、実施の形態３のエレベータ監視システムに実施の形態４のスピーカ４１に関する機能を追加したものである。このような構成によっても、かご１〜３内の乗客からの通報があった場合、スピーカ４１からベル音を発し、管理人に迅速に知らせることができる。【００６３】
なお、実施の形態４〜６において、呼出音はベル音に限定されるものではなく、例えば予め録音されたアナウンス等であってもよい。
また、スピーカは、必ずしも運行監視装置本体に設けなくてもよく、運行監視装置本体から離隔した位置に配置してもよい。【００６４】
実施の形態７．
次に、図１９はこの発明の実施の形態７によるエレベータ監視システムを示すブロック図である。図において、インターホン親機装置７には、スピーカ（親機装置側スピーカ）４２が設けられている。【００６５】
第１の通信手段１０から第２の通信手段１７に送信される通信状態情報に「呼出中」を意味する通信シンボルが含まれている場合、第１の通信手段１０は、第２の通信手段１７との通信の有効性に応じて、ベル音鳴動信号をスピーカ４２に出力する。また、第１の通信手段１０は、第２の通信手段１７から受信した選局情報に「呼出中」を意味する通信シンボルが含まれていない場合、第２の通信手段１７との通信の有効性に応じて、ベル音非鳴動信号をスピーカ４２に出力する。【００６６】
第１及び第２の通信手段１０，１７は、互いの間の通信の有効性を確認するための確認信号を送受信し、確認信号の受信状況に応じて、ベル音（呼出音）を鳴動させるスピーカ４１，４２を選択する。確認信号としては、通信状態情報及び選局情報と混同しないようにユニークな通信シンボルが割り付けられる。【００６７】
例えば、確認信号としては、第１の通信手段１０からは０ｘＦＦ信号がＴ秒周期で出力され、第２の通信手段１７からは０ｘＦＥ信号がＴ秒周期で出力される。従って、通信が正常（有効）である場合、通信に要する時間のばらつきを無視すれば、第１の通信手段１０では０ｘＦＥ信号がＴ秒周期で受信され、第２の通信手段１７では０ｘＦＦ信号がＴ秒周期で受信される。【００６８】
ここで、第１の通信手段１０における０ｘＦＥ信号の受信間隔をＴ１秒とすると、Ｔ１秒がＴ秒を大きく上回る場合、第１及び第２の通信手段１０，１７間の通信に異常が発生したと考えることができる。実施の形態７では、通信に異常が発生したかどうかを判断するための閾値ＴＨをＴＨ＝３×Ｔと設定する。【００６９】
このような前提に基づけば、第１の通信手段１０は、Ｔ１＞ＴＨとなったとき、通信に異常が発生したと判断し、スピーカ４２にスピーカ制御信号として「ＯＮ」信号を送信する。一方、Ｔ１≦ＴＨの場合、通信は正常であると判断し、第１の通信手段１０は、スピーカ４２にスピーカ制御信号として「ＯＦＦ」信号を送信する。【００７０】
また、第２の通信手段１７における０ｘＦＦ信号の受信間隔をＴ２秒とすると、第２の通信手段１７は、Ｔ２＞ＴＨとなったとき、通信に異常が発生したと判断し、スピーカ４１にスピーカ制御信号として「ＯＦＦ」信号を送信する。一方、Ｔ２≦ＴＨの場合、通信は正常であると判断し、第２の通信手段１７は、スピーカ４１にスピーカ制御信号として「ＯＮ」信号を送信する。【００７１】
インターホン親機装置７のスピーカ４２は、受信した最新のスピーカ制御信号が「ＯＦＦ」信号（通信状態が正常）である場合、ベル音鳴動信号及びベル音非鳴動信号を無視して、ベル音の鳴動を常に停止する。また、スピーカ４２は、受信した最新のスピーカ制御信号が「ＯＮ」信号（通信状態が異常）である場合、実施の形態１と同様にベル音鳴動信号及びベル音非鳴動信号に従ってベル音の鳴動又は非鳴動を決定する。【００７２】
運行監視装置８のスピーカ４１は、受信した最新のスピーカ制御信号が「ＯＦＦ」信号（通信状態が異常）である場合、ベル音鳴動信号及びベル音非鳴動信号を無視して、ベル音の鳴動を常に停止する。また、スピーカ４１は、受信した最新のスピーカ制御信号が「ＯＮ」信号（通信状態が正常）である場合、実施の形態１と同様にベル音鳴動信号及びベル音非鳴動信号に従ってベル音の鳴動又は非鳴動を決定する。【００７３】
上記のように、実施の形態７のエレベータ監視システムでは、第１及び第２の通信手段１０，１７間で通信の有効性を確認するための信号のやり取りを行い、通信の有効性に応じて、ベル音を鳴動させるスピーカ４１，４２を選択するようになっているので、通信状態が正常であれば、管理人が近くにいることが想定される運行監視装置８のスピーカ４１のみを鳴動させることができ、ベル音の騒がしさを低減できる。また、通信状態に異常が発生したときであっても、インターホン親機装置７のスピーカ４２が鳴動されるので、インターホン子機装置４〜６からの呼出を管理人等に知らせることができる。【００７４】
実施の形態８．
次に、図２０はこの発明の実施の形態８によるエレベータ監視システムを示すブロック図である。実施の形態８は、実施の形態５のエレベータ監視システムに実施の形態７の通信の有効性の確認に関する機能を追加したものである。このような構成によっても、通信の有効性に応じて、ベル音を鳴動させるスピーカ４１，４２を選択することができる。【００７５】
実施の形態９．
次に、図２１はこの発明の実施の形態９によるエレベータ監視システムを示すブロック図である。実施の形態９は、実施の形態６のエレベータ監視システムに実施の形態７の通信の有効性の確認に関する機能を追加したものである。このような構成によっても、通信の有効性に応じて、ベル音を鳴動させるスピーカ４１，４２を選択することができる。
【図１】
0004777239.tif 000002
【図２】
0004777239.tif 000003
【図３】
0004777239.tif 000004
【図４】
0004777239.tif 000005
【図５】
0004777239.tif 000006
【図６】
0004777239.tif 000007
【図７】
0004777239.tif 000008
【図８】
0004777239.tif 000009
【図９】
0004777239.tif 000010
【図１０】
0004777239.tif 000011
【図１１】
0004777239.tif 000012
【図１２】
0004777239.tif 000013
【図１３】
0004777239.tif 000014
【図１４】
0004777239.tif 000015
【図１５】
0004777239.tif 000016
【図１６】
0004777239.tif 000017
【図１７】
0004777239.tif 000018
【図１８】
0004777239.tif 000019
【図１９】
0004777239.tif 000020
【図２０】
0004777239.tif 000021
【図２１】
0004777239.tif 000022